(57)【要約】【課題】簡単な操作で遊技島の枠の所望の位置に取り付けることができ、しかも、振動が加えられた場合にも容易には位置ずれしない遊技球導入体の取り付け機構を提供する。【解決手段】遊技島の枠に固定されるベース部材２０に横方向にのみ移動自在に取り付けられる第１スライド部材３０と、第１スライド部材３０に縦方向にのみ移動自在の取り付けられ、遊技球導入体５０が固定される第２スライド部材４０とを備える。ベース部材２０には横方向に複数の切込み２７が形成され、第１スライド部材３０には切込み２７と係合して第１スライド部材３０自体の横方向への移動を阻止する係合片３５ａが設けられ、第１スライド部材３０には縦方向に複数の係合穴５１が形成され、第２スライド部材３０には係合穴５１と係合して第２スライド部材４０の縦方向への移動を阻止する係合爪５５ａが設けられている。係合片３５ａと係合爪５５ａとは係合方向に付勢されている。【選択図】図１
2014147514.tif 000002
【特許請求の範囲】
【請求項１】
複数の遊技機が配列される遊技島の補給経路から供給される遊技球を遊技機に設けられた遊技球タンクへと導入する遊技球導入体を、前記遊技機に対応して前記遊技島の枠に取り付ける遊技球導入体の取り付け機構であって、
前記遊技島の枠に固定されるベース部材と、
前記ベース部材に取り付けられ、該ベース部材に対して横方向あるいは縦方向の何れか一方の第１方向にのみスライド自在の第１スライド部材と、
前記第１スライド部材に取り付けられ、前記ベース部材に対して横方向あるいは縦方向の何れか他方である第２方向にのみスライド自在であって、かつ、前記遊技球導入体が固定される第２スライド部材と、を備え、
前記ベース部材あるいは前記第１スライド部材の何れか一方には、前記第１方向に配列された複数の第１係合部が形成されると共に、前記ベース部材あるいは第１スライド部材の何れか他方には、前記第２方向における係合方向に移動して前記複数の第１係合部の何れかと係合して前記第１スライド部材の前記第１方向への移動を阻止する一方、前記第２方向における係合方向とは逆の解除方向に移動して前記第１係合部との係合を解除して前記第１スライド部材の前記第１方向への移動を可能にする第１係合片が設けられ、
前記第１スライド部材あるいは前記第２スライド部材の何れか一方には、前記第２方向に配列された複数の第２係合部が形成されると共に、前記第１スライド部材あるいは前記第２スライド部材の何れか他方には、前記第１方向における係合方向に移動して前記複数の第２係合部の何れかと係合して前記第２スライド部材の前記第２方向への移動を阻止する一方、前記第２方向における係合方向とは逆の解除方向に移動して前記第２係合部との係合を解除して前記第２スライド部材の前記第２方向への移動を可能にする第２係合片が設けられ、
かつ、前記第１係合片および前記第２係合片はそれぞれ、前記係合方向に付勢されていることを特徴とする遊技球導入体の取り付け機構。
【請求項２】
前記付勢力に抗して前記第１係合片を手動操作により前記解除方向へと移動させる第１操作レバーと、
前記付勢力に抗して前記第２係合片を手動操作により前記解除方向へと移動させる第２操作レバーと、が設けられていることを特徴とする請求項１に記載の遊技球導入体の取り付け機構。
【請求項３】
前記第１スライド部材において、前記第１操作レバーは、前記第２スライド部材が前記第２方向に移動する移動領域外に設けられていることを特徴とする請求項２に記載の遊技球導入体の取り付け機構。
【請求項４】
前記第１係合部は、前記第１方向に並ぶと共に前記第２方向に伸びる一対の壁を有し、前記第１係合部に係合された状態で前記第１係合片は、前記第１方向に並ぶ前記一対の壁の間に位置し、
前記第２係合部は、前記第２方向に並ぶと共に前記第１方向に伸びる一対の壁を有し、前記第２係合部に係合された状態で前記第２係合片は、前記第２方向に並ぶ前記一対の壁の間に位置することを特徴とする請求項１〜３の何れか１項に記載の遊技球導入体の取り付け機構。
【請求項５】
前記第１係合部および前記第２係合部は、角穴あるいは切込みであることを特徴とする請求項１〜４の何れか１項に記載の遊技球導入体の取り付け機構。
【請求項６】
前記第１スライド部材には、前記第１方向に並ぶと共に前記第２方向に沿って伸びる一対の第１立設部が形成され、
前記第２スライド部材には、第１方向の両端部に、前記第１方向に並ぶと共に前記第２方向に沿って伸びる一対の第２立設部が形成され、
前記第２スライド部材は、前記第１スライド部材における前記第１立設部の内側に収容され、該収容された状態で前記第２立設部が前記第１立設部の内側を摺動し、
前記第１立設部に、前記第２方向に沿って伸びるガイド溝と前記複数の第２係合部とが設けられ、前記第２係合片は前記第２スライド部材の前記第２立設部の近傍に設けられていることを特徴とする請求項１〜５の何れか１項に記載の遊技球導入体の取り付け機構。
【請求項７】
遊技島に複数配列される各遊技機に対応して遊技島の枠に取り付けられ、遊技島の補給経路から供給される遊技球を、前記遊技機に設けられた遊技球タンクに補給するもので、前記遊技機が前記遊技島の枠に対して閉止されている場合に、前記遊技球導入体から前記遊技球タンクへの遊技球の通過可能とし、前記遊技機が前記遊技島の枠に対して開放されている場合に、前記遊技球導入体から前記遊技球タンクへの遊技球の通過不能とする遊技球通過切換機構を備える遊技球補給装置であって、
前記補給経路から供給される遊技球を前記遊技球タンクへと導入する遊技球導入体と、
請求項１〜６の何れか１項に記載された遊技球導入体の取り付け機構と、を備えることを特徴とする遊技球補給装置。
【発明の詳細な説明】
【技術分野】
【０００１】
本発明は、複数の遊技機が配列される遊技島の補給経路から供給される遊技球を遊技機に設けられた遊技球タンクへと導入する遊技球導入体を、前記遊技島の各遊技機に対応して遊技島の枠に取り付ける遊技球導入体の取り付け機構、および該取り付け機構を有する遊技球補給装置に関する。
【背景技術】
【０００２】
従来、一般に、複数の遊技機が配列される遊技島には、遊技球を遊技機に補給するための補給経路が配設され、補給経路を流れる遊技球が、前記遊技機にそれぞれ設けられた遊技球タンクに補給される。補給経路から遊技機への遊技球の補給は、各遊技機に対応して遊技島の枠に取り付けられた遊技球補給装置にて行われる。
【０００３】
遊技球補給装置は、遊技球導入体と、遊技球導入体の取り付け機構と、遊技球通過切換機構とを備える。遊技球導入体は、遊技島の補給経路から供給される遊技球を遊技機の遊技球タンクへと導入するものであり、遊技球導入体の取り付け機構は、該遊技球導入体を前記遊技島の枠に取り付けるものである。遊技球通過切換機構は、遊技機が遊技島の枠に対して閉鎖されている場合に、遊技球導入体から遊技球タンクへの遊技球の通過可能とし、遊技機が遊技島の枠に対して開放されている場合に、遊技球導入体から遊技球タンクへの遊技球の通過不能とするものである。
【０００４】
ところで、近年では、遊技機の機種に応じて遊技球タンクの配置位置が様々に変更される傾向にあり、このような遊技球タンクの配置位置の変更に伴い、枠に対する遊技球補給装置の取り付け位置を変更する必要性が生じている。
【０００５】
このような枠に対する遊技球補給装置の取り付け位置の変更を容易に実施するための技術が、種々提案されている。
【０００６】
例えば、特許文献１には、設置台に取り付けられ支持部材に設けられたパチンコ機の幅方向に沿って延びるガイド溝に装置本体（遊技球導入体に相当）を摺動自在に設け、装置本体を支持部材に沿って移動させて任意の位置で蝶ボルトにて解除自在に固定する構成が開示されている。
【０００７】
また、特許文献２には、取り付け機構として、遊技島の枠部へ固定された基板部が備える水平板に対して水平方向に移動して固定可能な長孔プレートとネジとからなる水平方向調整部と、水平方向移動調整部に対して本体部を垂直方向に移動して固定可能な前記長孔プレートに固定されるほぼＣ字形の基部および該基部の両端に取り付けられたくし状部材とからなる垂直方向調整部と、を備えた構成が開示されている。
【０００８】
特許文献３には、遊技島の横枠に固定されたスライドベース部材のスライド溝に対して、賞球補給装置の固定板に固定されたスライド部材をスライド係合し、パチンコ機の賞球タンクと対応する位置に賞球補給装置（遊技球導入体に相当）をスライド移動させ、この状態で固定板から突出したスライド部材の部分に取り付けられた蝶ボルトを締め付けて固定する構成が開示されている。
【０００９】
特許文献４には、取り付け機構として、水平方向の位置調整が可能なフレーム部材をスライド可能に受け入れる受入部およびラック歯を有するラック部が設けられたレール部材と、レール部材の受入部にスライド可能に挿入する挿入支持部、ラック歯に係合する突起部を有した弾性変形可能な係合腕部、ラック歯と突起部とが係合状態にある係合腕部の弾性変形を抑止して横移動を阻止する横ロック手段、上下方向の位置調整が可能な装置本体を上下方向に受け入れる本体受入部および装置本体の縦移動を阻止する蝶ナットからなる縦ロック手段を設けたフレーム部材とを備える構成が開示されている。
【００１０】
特許文献５には、取り付け機構として、取り付け部材に形成された上下に延びる長孔の所定位置で蝶ネジを用いて本体部に固定することで高さ方向の位置関係を調整する一方、取り付け部材に形成された略王字形状の取付位置調整可能孔に島台に固定されたベース部材に設けられた螺子を両者の位置関係を選択して挿通させて蝶ナットで締め付けて左右方向及び奥行き方向に微調整する構成が記載されている。
【先行技術文献】
【特許文献】
【００１１】
【特許文献１】特開２００７−１２５４４３号公報（２００７年５月２４日公開）
【特許文献２】特開２０１０−１０１号公報（２０１０年１月７日公開）
【特許文献３】特開２０１０−６８８２９号公報（２０１０年４月２日公開）
【特許文献４】特開２０１１−２４６０８号公報（２０１１年２月１０日公開）
【特許文献５】特開２０１１−１３６２４９号公報（２０１１年７月１４日公開）
【発明の概要】
【発明が解決しようとする課題】
【００１２】
しかしながら、上述のような従来技術は、振動が加えられた場合に、遊技球補給装置（正確には遊技球導入体）の取り付け位置がズレてしまって遊技機への補給が上手くいかず、遊技球がこぼれたり逆に詰まったりする問題、及び遊技球補給装置（正確には遊技球導入体）の取り付け位置の調整作業が容易でなく、スキルをもった特定の作業者しか実施ができないといった問題がある。これについて詳しく説明する。
【００１３】
上述したように、特許文献１〜５の取り付け機構においては、遊技球導入体の位置を水平方向あるいは垂直方向において調整した後、蝶ボルトや蝶ナットなどを用いて固定する。蝶ボルトや蝶ナットによる固定は、ドライバ等の工具を用いる必要がないため作業性に優れる。
【００１４】
しかしながら、その反面、工具を用いない分締め付け力が弱い。そのため、大量の遊技球が補給された場合の振動や、遊技機が開閉される際の振動にて、蝶ボルトや蝶ナットの締め付けに緩みが生じる恐れがある。蝶ボルトや蝶ナットの締め付けが緩むと、遊技球導入体の位置が調整した位置からずれてしまい、遊技球通過切換機構と遊技機とが旨く連動しなくなる。その結果、遊技機が開放されているときにも遊技球が遊技球導入体を通過して零れ出たり、逆に、遊技機が閉鎖されているときに遊技球が遊技球導入体を通過せずに詰まったりする。
【００１５】
また、特許文献５の取り付け機構においては、蝶ネジと蝶ナットとを用いて、水平方向および垂直方向に加えて、奥行き方向の位置まで調整可能となっているが、構造が複雑で、組み立て手順を熟知した作業者にしか調整できない。
【００１６】
また、特許文献２の取り付け機構においては、垂直方向調整部は、基部の両端に取り付けられたくし状部材に、本体部側の係合部を係合させることで、垂直方向の位置を調整するようになっている。本体部側の係合部の側面を基部のくし状部材の側面に圧接することで係合を保持する。本体部を垂直方向に移動させる場合は、付勢力に抗って本体部側を枠側へと押し込んで係合を解除し、所望の位置に移動させてから、再度、本体部側の係合部と基部のくし状部材を係合させる。
【００１７】
しかしながら、このように、本体部を付勢力に抗って枠側へと押し込んで、所望の位置まで移動させて再び係合させる作業も、慣れていない作業者にとっては難しく、調整のスキルを持たない者が、簡単に実施できるものではない。
【００１８】
また、特許文献４の取り付け機構においては、枠に取り付けられるレール部材にラック部が設けられると共に、装置本体が取り付けられるフレーム部材に、前記ラック部のラック歯に係合する突起部を有した弾性変形可能な係合腕部が設けられ、横ロック手段をなすストッパー部材の挿入深さを調整することで、係合腕部の弾性変形を抑止してフレーム部材の横移動を阻止したり、係合腕部の弾性変形を許容してフレーム部材の横移動を可能にしたりするものである。
【００１９】
しかしながら、ストッパー部材の挿入の深さを調整して、フレーム部材の横移動を可能にしたり固定したりする作業も、慣れていない作業者にとっては難しく、調整のスキルを持たない者が、簡単に実施できるものではない。
【００２０】
本発明は、上記課題に鑑みなされたもので、簡単な操作で遊技球導入体を遊技機に対応した所望の位置に取り付けることができ、しかも、振動が加えられた場合にも容易には位置ずれしない遊技球導入体の取り付け機構、および遊技球補給装置を提供することを目的とする。
【課題を解決するための手段】
【００２１】
上記の課題を解決するために、本発明は、複数の遊技機が配列される遊技島の補給経路から供給される遊技球を遊技機に設けられた遊技球タンクへと導入する遊技球導入体を、前記遊技機に対応して前記遊技島の枠に取り付ける遊技球導入体の取り付け機構であって、前記遊技島の枠に固定されるベース部材と、前記ベース部材に取り付けられ、該ベース部材に対して横方向あるいは縦方向の何れか一方の第１方向にのみスライド自在の第１スライド部材と、前記第１スライド部材に取り付けられ、前記ベース部材に対して横方向あるいは縦方向の何れか他方である第２方向にのみスライド自在であって、かつ、前記遊技球導入体が固定される第２スライド部材とを備え、前記ベース部材あるいは前記第１スライド部材の何れか一方には、前記第１方向に配列された複数の第１係合部が形成されると共に、前記ベース部材あるいは第１スライド部材の何れか他方には、前記第２方向における係合方向に移動して前記複数の第１係合部の何れかと係合して前記第１スライド部材の前記第１方向への移動を阻止する一方、前記第２方向における係合方向とは逆の解除方向に移動して前記第１係合部との係合を解除して前記第１スライド部材の前記第１方向への移動を可能にする第１係合片が設けられ、前記第１スライド部材あるいは前記第２スライド部材の何れか一方には、前記第２方向に配列された複数の第２係合部が形成されると共に、前記第１スライド部材あるいは前記第２スライド部材の何れか他方には、前記第１方向における係合方向に移動して前記複数の第２係合部の何れかと係合して前記第２スライド部材の前記第２方向への移動を阻止する一方、前記第２方向における係合方向とは逆の解除方向に移動して前記第２係合部との係合を解除して前記第２スライド部材の前記第２方向への移動を可能にする第２係合片が設けられ、かつ、前記第１係合片および前記第２係合片はそれぞれ前記係合方向に付勢されていることを特徴としている。
【００２２】
上記構成によれば、遊技島の枠にベース部材が取り付けられ、該ベース部材に第１スライド部材が横方向あるいは縦方向の何れか一方の第１方向にのみ移動自在に取り付けられ、該第１スライド部材に第２スライド部材が横方向あるいは縦方向の何れか他方の第２方向にのみ移動自在に取り付けられ、該第２スライド部材に遊技球導入体が固定されている。
【００２３】
この場合、遊技球導入体は、第１方向については、ベース部材に対する第１スライド部材の位置を調整し、第２方向については、第１スライド部材に対する第２スライド部材の位置を調整することで、横方向および縦方向の両方向について、取り付け位置の調整が可能になる。
【００２４】
調整後の位置の固定は、たとえば、調整方向である第１方向に配列された複数の第１係合部のうちの調整位置に見合ったものに、第１係合片を係合方向に移動させて係合させることで、ベース部材に対する第１スライド部材の第１方向へのスライド移動を阻止して、第１方向の位置を固定することができる。同様に、調整後、調整方向である第２方向に配列された複数の第２係合部のうちの調整位置に見合ったものに、第２係合片を係合方向に移動させて係合させることで、第１スライド部材に対する第２スライド部材の第２方向へのスライド移動を阻止して、第２方向の位置を固定することができる。
【００２５】
そして、これら第１係合片と第１係合部との係合の解除、および第２係合片と第２係合部との係合の解除は、第１係合片，第２係合片をそれぞれの解除方向に移動させることで行え、再び、第１方向への移動、第２方向への移動が可能になる。
【００２６】
このように、上記構成では、簡単な操作で遊技球導入体を遊技機に対応した所望の位置に取り付けることができる。
【００２７】
しかも、上記構成によれば、第１係合片および第２係合片をそれぞれの係合方向に付勢して解除方向へ動き難くしているので、第１係合片および第２係合片を解除方向へ移動させるような振動が加わったとしても、第１係合片と第１係合部との係合および第２係合片と第２係合部との係合が容易に解除されるようなことはなく、遊技球導入体の第１方向および第２方向の位置を保持できる。
【００２８】
本発明は、さらに、前記付勢力に抗して前記第１係合片を手動操作により前記解除方向へと移動させる第１操作レバーと、前記付勢力に抗して前記第２係合片を手動操作により前記解除方向へと移動させる第２操作レバーとが設けられている構成とするもよい。
【００２９】
上記構成によれば、第１操作レバー，第２操作レバーを用いることで、第１係合片，第２係合片を付勢力に抗って操作することがより簡単に実施できるようになる。
【００３０】
本発明は、さらに、前記第１スライド部材において、前記第１操作レバーは、前記第２スライド部材が前記第２方向に移動する移動領域外に設けられている構成とすることもできる。
【００３１】
上記構成によれば、第１スライド部材に対する第２スライド部材の第２方向への移動を、第１スライド部材に設けられる第１操作レバーとかかわりなく実現できるので、第２方向への移動距離を確保しながら、取り付け機構の第２方向の寸法をコンパクトに抑えることができる。
【００３２】
本発明は、さらに、前記第１係合部は、前記第１方向に並ぶと共に前記第２方向に伸びる一対の壁を有し、前記第１係合部に係合された状態で前記第１係合片は、前記第１方向に並ぶ前記一対の壁の間に位置し、前記第２係合部は、前記第２方向に並ぶと共に前記第１方向に伸びる一対の壁を有し、前記第２係合部に係合された状態で前記第２係合片は、前記第２方向に並ぶ前記一対の壁の間に位置する構成とすることもできる。
【００３３】
上記構成によれば、第１係合部は、第１方向に並ぶと共に第２方向に伸びる一対の壁を有し、第１係合部に係合された状態で第１係合片は、第１方向に並ぶ一対の壁の間に位置しているので、第１係合片を第１方向へと移動させるような振動により強い構成となり、第１係合片と第１係合部との係合をより堅固に保持して、遊技球導入体の第１方向の位置を保持できる。
【００３４】
同様に、第２係合部は、第２方向に並ぶと共に第１方向に伸びる一対の壁を有し、第２係合部に係合された状態で第２係合片は、第２方向に並ぶ一対の壁の間に位置しているで、第２係合片を第２方向へと移動させるような振動により強い構成となり、第２係合片と第２係合部との係合をより堅固に保持して、遊技球導入体の第２方向の位置を保持できる。
【００３５】
本発明は、さらに、前記第１係合部および前記第２係合部は、角穴あるいは切込みである構成とすることもできる。
【００３６】
本発明は、さらに、前記第１スライド部材には、前記第１方向に並ぶと共に前記第２方向に沿って伸びる一対の第１立設部が形成され、前記第２スライド部材には、第１方向の両端部に、前記第１方向に並ぶと共に前記第２方向に沿って伸びる一対の第２立設部が形成され、前記第２スライド部材は、前記第１スライド部材における前記第１立設部の内側に収容され、該収容された状態で前記第２立設部が前記第１立設部の内側を摺動し、前記第１立設部に、前記第２方向に沿って伸びるガイド溝と前記複数の第２係合部とが設けられ、前記第２係合片は前記第２スライド部材の前記第２立設部の近傍に設けられている構成としてもよい。
【００３７】
このような構成とすることで、ベース部材に対する第１スライド部材の第１方向への移動とその阻止と、第１スライド部材に対する第２スライド部材の第２方向への移動とその阻止とを、同一の平面内で実現させる構成に比べて、第１方向へのスライド移動可能な範囲を確保しながら、取り付け機構の第１方向の寸法をコンパクトにすることができる。
【００３８】
上記の課題を解決するために、本発明は、遊技島に複数配列される各遊技機に対応して遊技島の枠に取り付けられ、遊技島の補給経路から供給される遊技球を、前記遊技機に設けられた遊技球タンクに補給するもので、前記遊技機が前記遊技島の枠に対して閉止されている場合に、前記遊技球導入体から前記遊技球タンクへの遊技球の通過可能とし、前記遊技機が前記遊技島の枠に対して開放されている場合に、前記遊技球導入体から前記遊技球タンクへの遊技球の通過不能とする遊技球通過切換機構を備える遊技球補給装置であって、前記補給経路から供給される遊技球を前記遊技球タンクへと導入する遊技球導入体と、本発明の遊技球導入体の取り付け機構とを備えることを特徴としている。
【００３９】
上述したように、本発明の遊技球導入体の取り付け機構を用いることで、簡単な操作で遊技機に対応した所望の位置に取り付けることが可能で、しかも、振動が加えられた場合にも容易には位置ずれしない遊技球補給装置を得ることができる。
【発明の効果】
【００４０】
本発明は、簡単な操作で遊技球導入体を、遊技機に対応した所望の位置に取り付けることができ、しかも、振動が加えられた場合にも容易には位置ずれしない遊技球導入体の取り付け機構、および遊技球補給装置を提供することができるという効果を奏する。
【図面の簡単な説明】
【００４１】
【図１】本発明に係る実施の一形態の遊技球補給装置を前面側よりみた斜視図である。
【図２】前記遊技球補給装置を配設した遊技島の概略を示す図面であり、（ａ）は遊技島の上面図、（ｂ）は遊技島の正面図である。
【図３】遊技機と遊技機の上方に前記遊技球補給装置が配置された状態を遊技機の正面側からみた斜視図である。
【図４】遊技機と遊技機の上方に前記遊技球補給装置が配置された状態を遊技機の背面側からみた斜視図である。
【図５】前記遊技球補給装置を前面側よりみた遊技球補給装置の分解斜視図である。
【図６】前記遊技球補給装置における横方向への位置調整を可能とする構成を説明する図面であり、（ａ）は固定状態の図面、（ｂ）は位置調整時の図面、（ｃ）は（ａ）におけるＡ−Ａ線矢視断面図である。
【図７】前記遊技球補給装置における縦方向への位置調整を可能とする構成を説明する図面であり、（ａ）は固定状態の図面、（ｂ）は位置調整時の図面である。
【図８】前記遊技球補給装置において横方向の取り付け位置を調整する手順を示す図面である。
【図９】前記遊技球補給装置において縦方向の取り付け位置を調整する手順を示す図面である。
【発明を実施するための形態】
【００４２】
以下、本発明の実施の形態について、図面を参照して詳細に説明する。図２は、本発明に係る実施の一形態の遊技球補給装置を配設した遊技島の概略を示す図面であり、（ａ）は遊技島の上面図、（ｂ）は遊技島の正面図である。
【００４３】
図２の（ａ）に示すように、遊技島２００は、通常、遊技機３００を背中合わせに２列配列して構成される。遊技島２００の内部には、作業のための通路２０１が確保されており、遊技島２００の側壁には、遊技島２００の内部に入るための扉２０２が設けられている。
【００４４】
遊技島２００の内部には、複数の遊技機３００を取り付けるための枠体２０３が組まれており、各遊技機３００は、この枠体２０３に取り付けられる。ここで、遊技機３００は、遊技機側部の一方がヒンジを介して枠体２０３に開閉自在に取り付けられる。
【００４５】
また、図示してはいないが、遊技島２００内部の上部には、遊技島２００に配設された複数の遊技機３００に遊技球を供給する供給経路が配設されている。各遊技機３００の上方には、前記補給経路から供給される遊技球を遊技機３００に設けられた遊技球タンク３１０（図３参照）へと導入する遊技球導入体５０（図５参照）を備えた遊技球補給装置１が取り付けられている。ここで、遊技球補給装置１は、枠体２０３の一部であって、列設された遊技機３００の並ぶ方向に延設された横枠２０３ａに取り付けられている。
【００４６】
また、図２の（ｂ）に示すように、遊技島２００において、遊技機３００の上方は、上方に向かって開閉可能な扉である幕板２１０にて覆われている。遊技島２００の内部に設けられた遊技球補給装置１には、この幕板２１０を開放するか、あるいは遊技機３００を開放することで、遊技島２００の外部からアクセスすることができる。
【００４７】
図３は、遊技機とその上方に遊技球補給装置が配置された状態を遊技機の正面側からみた斜視図である。図４は、遊技機とその上方に遊技球補給装置が配置された状態を遊技機の背面側からみた斜視図である。
【００４８】
前述したように、遊技球補給装置１は、遊技機３００の上方を横切る横枠２０３ａにとりつけられる。ここで、遊技球補給装置１は、遊技機３００の背面側の上部に設けられた遊技球タンク３１０に対して適切な位置になるように取り付けられる。適切な位置とは、遊技球補給装置１が備える遊技球通過切換機構が正常に作動する位置である。
【００４９】
遊技球通過切換機構は、遊技機３００に連動して動作し、遊技機３００が遊技島２００の枠体２０３に対して閉止されている場合に、遊技球導入体５０から遊技球タンク３１０への遊技球の通過可能とし、遊技機３００が遊技島２００の枠２０３に対して開放されている場合に、遊技球導入体５０から遊技球タンク３１０への遊技球の通過不能とするものである。なお、遊技球通過切換機構の構成については、従来ある構成を利用できるので、本明細書においては説明を割愛する。
【００５０】
図３、図４の例では、遊技球補給装置１を遊技機３００の背面側から取り付けているが、これとは逆に、遊技球補給装置１を遊技機３００の正面側から取り付けることもできる。但し、その場合は、遊技球補給装置１に対する遊技機３００の開閉の方向が変わるので、遊技球通過切換機構も前後逆に動作するように変更する必要がある。
【００５１】
以下、遊技球補給装置１について詳細に説明する。図１は、遊技球補給装置の前面図である。上述したように、遊技球補給装置１は、遊技機３００に対してその正面側からも背面側からも取り付け可能である。そこで、本実施の形態では、横枠２０３ａに取り付けられる側の面を後面とし、横枠２０３ａに取り付けられる側の面とは逆側の面（後述する遊技球導入体５０が見える側の面）を前面として説明する。図５は、遊技球補給装置を前面側よりみた遊技球補給装置の分解斜視図である。図６は、遊技球補給装置における横方向への位置調整を可能とする構成を説明する図面であり、（ａ）は固定状態の図面、（ｂ）は位置調整時の図面、（ｃ）は（ａ）におけるＡ−Ａ線矢視断面図である。図７は、遊技球補給装置における、縦方向への位置調整を可能とする構成を説明する図面であり、（ａ）は固定状態の図面、（ｂ）は位置調整時の図面である。
【００５２】
遊技球補給装置１は、遊技球導入体５０と、前述した遊技球通過切換機構（不図示）と、遊技球導入体５０とを備える。遊技球導入体５０は、遊技島２００の補給経路から供給される遊技球を遊技機３００の遊技球タンク３１０へと導入するものである。本実施の形態では、遊技球導入体５０として、通過した遊技球の数を計測する球計数モジュールが用いられている。
【００５３】
導入体取り付け機構１０は、遊技球導入体５０を横枠２０３ａに取り付けるものである。導入体取り付け機構１０は、遊技球導入体５０を横枠２０３ａに取り付けるにあたり、横枠２０３ａに対してその横方向および縦方向に、位置を自在に調整した状態で取り付けることを可能にする。
【００５４】
導入体取り付け機構１０は、遊技島２００の横枠２０３ａに固定されるベース部材２０と、ベース部材２０に取り付けられ、ベース部材２０に対して横方向にのみスライド自在の第１スライド部材３０と、第１スライド部材３０に取り付けられ、第１スライド部材３０対して縦方向にのみスライド自在であり、遊技球導入体５０が固定される第２スライド部材４０とを備える。ベース部材２０、第１スライド部材３０、および第２スライド部材４０は、横枠２０３ａの長手方向に沿った略矩形の平板を、折り曲げたり、穴あけ加工したり、切り欠いたりして形成されている。
【００５５】
ベース部材２０における上部の左右両側には、当該ベース部材２０を横枠２０３ａに掛止させるための掛止片２１，２１が、ベース部材２０の後面より突出するように折り曲げ形成されている（図３参照）。また、ベース部材２０における左右の両端部側には、横枠２０３ａに掛止されている状態のベース部材２０を横枠２０３ａに取り付けるための複数の固定用ネジ穴２２が設けられている。なお、固定用ネジについては図示していない。
【００５６】
また、ベース部材２０の下部中央部には、Ｌ字状の掛止爪２３がベース部材２０の前面より突出するように折り曲げ形成される一方、第１スライド部材３０には、この掛止爪２３が引っ掛けられる横スライド穴３２が設けられている。掛止爪２３は、横スライド穴３２内を摺動自在に構成されている。これら掛止爪２３と横スライド穴３２とで、ベース部材２０に対する第１スライド部材３０の横方向へのスライド移動を可能にする１つ目の水平ガイド部１１が構成されている。
【００５７】
また、ベース部材２０における前記掛止片２１，２１よりも高い位置には、横方向に延びる横スライド穴２４が形成されており、該横スライド穴２４に、ベース部材２０の後面から段ネジ２６が貫通される。段ネジ２６は、第１スライド部材３０に形成されている段ネジ螺合穴３４に螺合される。図６の（ｃ）に示すように、段ネジ２６の太軸部は、横スライド穴２４内を摺動自在に構成されている。これら横スライド穴２４と段ネジ２６とで、ベース部材２０に対する第１スライド部材３０の横方向へのスライド移動を可能にする２つ目の水平ガイド部１２が構成されている。
【００５８】
さらに、第１スライド部材３０における段ネジ螺合穴３４よりも高い位置には、横方向に延びる横スライド穴３１が形成されており、該横スライド穴３１には、第１スライド部材３０の前面から段ネジ３６が貫通される。段ネジ３６は、ベース部材２０に形成されている段ネジ螺合穴２５に螺合され、段ネジ２６と横スライド穴２４との関係と同様に、段ネジ３６の太軸部が、横スライド穴３１内を摺動自在に構成されている。これら横スライド穴３１と段ネジ３６とで、ベース部材２０に対する第１スライド部材３０の横方向へのスライド移動を可能にする３つ目の水平ガイド部１３が構成されている。
【００５９】
これら３つの水平ガイド部１１〜１３にて、第１スライド部材３０は、ベース部材２０に対して横方向にのみスライド移動し、縦方向への移動は阻止されている。
【００６０】
そして、ベース部材２０の上辺における左右の一方側（ここでは右側）には、複数の切込み（第１係合部）２７が、横方向に並んで形成される一方、第１スライド部材３０には、複数の切込み２７のうちの任意のものと係合する係合片（第１係合片）３５ａが設けられている。
【００６１】
係合片３５ａは、第１スライド部材３０の上部の右角部分に設けられた第１操作レバー３５の一部が下方に折り曲げられることで形成されている。係合片３５ａが切込み２７と係合することで、ベース部材２０に対する第１スライド部材３０の横方向への移動が阻止され、横枠２０３ａに対する遊技球導入体５０の横方向の位置が固定される。
【００６２】
ここで、複数の切込み２７は、上記した３つの水平ガイド部１１〜１３によって第１スライド部材３０がベース部材２０に対してスライド移動する範囲に形成されている。係合片３５ａを導き入れ易いように、切込み２７の上端にはアールが付けられている。
【００６３】
第１スライド部材３０は、横方向の両端部が前面側に折り曲げることで形成された、横方向に並ぶと共に縦方向に沿って伸びる一対の第１立設部３７，３８を有している。このうち、切込み２７が形成されている側の第１立設部３８の上部に、第１操作レバー３５の回転軸３３が取り付けられている（図６の（ａ）参照）。
【００６４】
第１操作レバー３５は、第１立設部３８に設けられた回転軸３３に回転自在に支持されると共に、該回転軸３３に取り付けられたコイルばね３７によって矢印ａにて示す方向に常時付勢されている。矢印ａにて示す方向は、係合片３５ａが切込み２７に入り込む方向（係合方向）であり、係合片３５ａが切込み２７と係合する方向に付勢されていることで、係合片３５ａと切込み２７との係合が安定して維持され、第１スライド部材３０の横方向への移動を阻止できる。
【００６５】
一方、第１スライド部材３０を横方向に移動したい場合は、図６の（ｂ）に示すように、コイルばね３７の付勢力に抗って第１操作レバー３５を矢印ａとは逆の矢印ｂにて示す方向（解除方向）に回転させる。これにより、係合片３５ａと切込み２７との係合が解除され、第１スライド部材３０の横方向への移動を可能にできる。
【００６６】
上記第１立設部３８の先端部は、横方向外側に向かってさらに折り曲げられると共に、ており、その上部を切り欠いて一段低くすることで、第１操作レバー動作角度規制壁３９が構成されている。第１操作レバー動作角度規制壁３９は、第１操作レバー３５が矢印ｂにて示す解除方向へ操作された場合のストッパーとして機能する。
【００６７】
ここで、第１操作レバー３５は、係合片３５ａが切込み２７の奥にまで入り込んだ状態で、その操作面がベース部材２０の上辺と平行になるように設けられている。これにより、作業者は、遊技球導入体５０の横方向の位置決めを確実に行えたことを視覚的および感覚的に認識できる。また、第１操作レバー動作角度規制壁３９の下部は、指を掛けることで第１操作レバー３５の操作が行いやすいように、第１操作レバー３５と平行になるように折り曲げられて指掛け部５７が構成されている。
【００６８】
また、第２スライド部材４０も第１スライド部材３０と同様に、横方向の両端部が前面側に折り曲げることで形成された、横方向に並ぶと共に縦方向に沿って伸びる一対の第２立設部４７，４８を有している。第２スライド部材４０は、第１スライド部材３０における第１立設部３７，３８の内側に収容され、収容された状態で第２立設部４７，４８が第１立設部３７，３８の内側を摺動するように構成されている。
【００６９】
第１スライド部材３０における上記一対の第１立設部３７，３８には、縦方向に延びる縦スライド穴４１，４２が形成されており、該縦スライド穴４１，４２に、第１立設部３７，３８の左右外側から、段ネジ４５，４６が貫通される。
【００７０】
段ネジ４５は、第２スライド部材４０に形成されている段ネジ螺合穴４４に螺合され、段ネジ２６と横スライド穴２４との関係と同様に、段ネジ４５の太軸部が、縦スライド穴４１内を摺動自在に構成されている。
【００７１】
段ネジ４６は、第２スライド部材４０に形成されている段ネジ螺合穴４３に螺合され、ネジ２６と横スライド穴２４との関係と同様に、段ネジ４６の太軸部が、縦スライド穴４２内を摺動自在に構成されている。
【００７２】
これら縦スライド穴４１と段ネジ４５とで、第１スライド部材３０に対する第２スライド部材４０の縦方向へのスライド移動を可能にする垂直ガイド部１４が構成され、また、これら縦スライド穴４２と段ネジ４６とで、第１スライド部材３０に対する第２スライド部材４０の縦方向へのスライド移動を可能にする垂直ガイド部１５が構成されている。
【００７３】
これら２つの垂直ガイド部１４，１５にて、第２スライド部材４０は、第１スライド部材３０に対して縦方向にのみスライド移動し、横方向への移動は阻止されている。
【００７４】
そして、第１スライド部材３０における一対の第１立設部３７，３８のうちの少なくとも一方、ここでは、第１立設部３７に、角穴からなる複数の係合穴（第２係合部）５１が、縦方向に並んで形成され、第２スライド部材４０には、複数の係合穴５１のうちの任意のものと係合する係合爪（第２係合片）５５ａが設けられている。
【００７５】
係合爪５５ａは、第２スライド部材４０の上部の左角部分に設けられたＬ字状の第２操作レバー５５の揺動端に、その先端部を上方に爪状に折り曲げられることで形成されている。係合爪５５ａが係合穴５１と係合することで、第１スライド部材３０に対する第２スライド部材４０の縦方向への移動が阻止され、横枠２０３ａに対する遊技球導入体５０の縦方向の位置が固定される。ここでは、複数の係合穴５１は、縦スライド穴４２の両側に２列形成されており、第２操作レバー５５の揺動端にも、係合爪５５ａが対で形成されている。
【００７６】
上記第２操作レバー５５は、図７の（ａ）に示すように、第２スライド部材４０の前面の上部の左端部側に、前面に突出するように設けられら回転軸５３にて回転自在に支持されると共に、該回転軸５３に取り付けられた図示しないコイルばねによって矢印ｃにて示す方向に常時付勢されている。矢印ｃにて示す方向は、係合爪５５ａが係合穴５１に入り込む方向（係合方向）であり、係合爪５５ａが係合穴５１と係合する方向に付勢されていることで、係合爪５５ａと係合穴５１との係合が安定して維持され、第２スライド部材４０の縦方向への移動を阻止できる。
【００７７】
一方、第２スライド部材４０を縦方向に移動したい場合は、図７の（ｂ）に示すように、回転軸５３に設けられたコイルばねの付勢力に抗って第２操作レバー５５を矢印ｃとは逆の矢印ｄにて示す方向に回転させて、係合爪５５ａと係合穴５１との係合を解除する。これにより、第２スライド部材４０の縦方向への移動を可能にできる。
【００７８】
ここで、第２操作レバー５５は、係合爪５５ａが係合穴５１の奥にまで入り込んだ状態で、第２操作レバー５５の操作面は、ベース部材２０の上辺と平行になるように設けられている。これにより、作業者は、遊技球導入体５０の縦方向の位置決めを確実に行えたことを視覚的および感覚的に認識できる。また、第２スライド部材４０における第２操作レバー５５の上部には、指を掛けることで第２操作レバー５５の操作が行いやすいように、第２操作レバー５５の操作部と平行な指掛部５９が形成されている。
【００７９】
さらに、第２スライド部材４０の前面には、第２スライド部材４０に遊技球導入体５０を固定するための導入体固定機構６２が取り付けられている。第２スライド部材４０の前面における導入体固定機構６２が設けられている側とは反対側には、遊技球導入体５０の側面が嵌め込まれる嵌合部６１が設けられている。導入体固定機構６２は、遊技球導入体５０側の図示しない凹み部に差込まれ、嵌合部６１と共に遊技球導入体５０を第２スライド部材４０に固定する。
【００８０】
遊技球導入体５０は、上部に補給経路と接続され、補給経路から供給される遊技球を受け取る蛇腹状の管６５を有し、図示してはいないが、下面に、遊技機３００の遊技球タンク３１０へと球を落下させる補給口が形成されている。
【００８１】
図８は、遊技球補給装置において横方向の取り付け位置を調整する手順を示す図面である。まずは、第１操作レバー３５をｂ方向に回転させて切込み２７と係合片３５ａとの係合を解除する（図８の（ａ）（ｂ））。次に、ベース部材２０に対して第１スライド部材３０を横方向に移動させて所望の位置で停止させる（図８の（ｃ））。その後、第１操作レバー３５を    ａ方向に回転させて切込み２７と係合片３５ａとを係合させる（図８の（ｄ））。
【００８２】
図９は、遊技球補給装置において縦方向の取り付け位置を調整する手順を示す図面である。まずは、第２操作レバー５５をｄ方向に回転させて係合穴５１と係合爪５５ａとの係合を解除する（図９の（ａ）（ｂ））。次に、第１スライド部材３０に対して第２スライド部材４０を縦方向に移動させて所望の位置で停止させる（図９の（ｃ））。その後、第２操作レバー５５をｃ方向に回転させて係合穴５１と係合爪５５ａとを係合させる（図９の（ｄ））。
【００８３】
以上のように、本実施の形態の遊技球補給装置１によれば、遊技島２００の横枠２０３ａにベース部材２０が取り付けられ、該ベース部材２０に第１スライド部材３０が横方向（横方向あるいは縦方向の何れか一方の第１方向）にのみ移動自在に取り付けられ、該第１スライド部材３０に第２スライド部材４０が縦方向（横方向あるいは縦方向の何れか他方の第２方向）にのみ移動自在に取り付けられ、該第２スライド部材４０に遊技球導入体５０が固定されている。
【００８４】
この場合、遊技球導入体５０は、横方向については、ベース部材２０に対する第１スライド部材３０の位置を調整し、縦方向については、第１スライド部材３０に対する第２スライド部材４０の位置を調整することで、縦横両方向について、取り付け位置の調整が可能になる。
【００８５】
調整後の位置の固定は、たとえば、調整方向である横方向に配列された複数の切込み２７のうちの調整位置に見合ったものに、係合片３５ａを係合方向に移動させて係合させることで、ベース部材２０に対する第１スライド部材３０の横方向へのスライド移動を阻止して、横方向の位置を固定することができる。同様に、調整後、調整方向である縦方向に配列された複数の係合穴５１のうちの調整位置に見合ったものに、係合爪５５ａを係合方向に移動させて係合させることで、第１スライド部材３０に対する第２スライド部材４０の縦方向へのスライド移動を阻止して、縦方向の位置を固定することができる。
【００８６】
そして、これら係合片３５ａと切込み２７との係合の解除、および係合爪５５ａと係合穴５１との係合の解除は、係合片３５ａ，係合爪５５ａをそれぞれの解除方向に移動させることで行え、再び、横方向、縦方向へのそれぞれの移動が可能になる。
【００８７】
このように、上記構成では、簡単な操作で遊技球導入体５０を遊技機３００に対応した所望の位置に取り付けることができる。
【００８８】
しかも、上記構成によれば、係合片３５ａ，係合爪５５ａをそれぞれの係合方向に付勢して解除方向へ動き難くしているので、係合片３５ａ，係合爪５５ａを解除方向へ移動させるような振動が加わったとしても、係合片３５ａと切込み２７との係合、および係合爪５５ａと係合穴５１との係合が容易に解除されるようなことはなく、遊技球導入体５０の第１方向および第２方向の位置を保持できる。
【００８９】
なお、本実施の形態では、ベース部材２０に切込み２７を形成し、第１スライド部材３０に係合片３５ａを設けたが、ベース部材２０に係合片３５ａを形成し、第１スライド部材３０に切込み２７を設けてもよい。同様に、第１スライド部材３０に係合穴５１を形成し、第２スライド部材４０に係合爪５５ａを設けたが、第１スライド部材３０に係合爪５５ａを形成し、第２スライド部材４０に係合穴５１を設けてもよい。
【００９０】
さらに、上記構成では、付勢力に抗して係合片３５ａを手動操作により解除方向へと移動させる第１操作レバー３５と、付勢力に抗して係合爪５５ａを手動操作により解除方向へと移動させる第２操作レバー５５とが設けられているので、係合片３５ａ，係合爪５５ａを付勢力に抗って操作することがより簡単に実施できるようになる。
【００９１】
さらに、第１スライド部材３０材において、第１操作レバー３５は、第２スライド部材４０が縦方向に移動する移動領域外に設けられているので、第１スライド部材３０に対する第２スライド部材４０の縦方向への移動を、第１スライド部材３０に設けられる第１操作レバー３５とかかわりなく実現できるので、縦方向への移動距離を確保しながら、取り付け機構の縦方向の寸法をコンパクトに抑えることができる。
【００９２】
さらに、切込み２７は、横方向に並ぶと共に縦方向に伸びる一対の壁を有し、切込み２７に係合された状態で係合片３５ａは、切込み２７を構成する横方向に並ぶ一対の壁の間に位置している。また、係合穴５１は、縦方向に並ぶと共に横方向に伸びる一対の壁を有し、係合穴５１に係合された状態で係合爪５５ａは、縦方向に並ぶ一対の壁の間に位置する構成としている。
【００９３】
これにより、係合片３５ａを横方向へと移動させるような振動により強い構成となり、係合片３５ａと切込み２７との係合をより堅固に保持して、遊技球導入体５０の横方向の位置を保持できる。同様に、係合爪５５ａを縦方向へと移動させるような振動により強い構成となり、係合爪５５ａと係合穴５１との係合をより堅固に保持して、遊技球導入体５９の縦方向の位置を保持できる。
【００９４】
また、第１スライド部材３０には、横方向に並ぶと共に縦方向に沿って伸びる一対の第１立設部３７，３８が形成され、第２スライド部材４０にも、横方向の両端部に、横方向に並ぶと共に縦方向に沿って伸びる一対の第２立設部４７，４８が形成され、第２スライド部材４０は、第１スライド部材３０における第１立設部３７，３８の内側に収容され、収容された状態で第２立設部４７，４８が第１立設部３７，３８の内側を摺動し、第１立設部３７，３８に、縦方向に沿って伸びる縦スライド穴４１，４２と複数の係合穴５１とが設けられ、係合爪５５ａは第２スライド部材４０の第２立設部４７，４８の近傍に設けられている構成としている。
【００９５】
このような構成とすることで、ベース部材２０に対する第１スライド部材３０の水平方向への移動とその阻止と、第１スライド部材３０に対する第２スライド部材４０の垂直方向への移動とその阻止とを、同一の平面内で実現させる構成に比べて、横方向へのスライド移動可能な範囲を確保しながら、取り付け機構の横方向の寸法をコンパクトにすることができる。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９７】
１  遊技球補給装置
１０  導入体取り付け機構（遊技球導入体の取り付け機構）
１１〜１３  水平ガイド部
１４，１５  垂直ガイド部
２０  ベース部材
２１，２１  掛止片
２２  固定用ネジ穴
２３  掛止爪
２４  横スライド穴
２５  段ネジ螺合穴
２６  段ネジ
２７  切込み（第１係合部）
３０  第１スライド部材
３１，３２  横スライド穴
３３  回転軸
３４  段ネジ螺合穴
３５  第１操作レバー
３５ａ  係合片（第１係合片）
３６  段ネジ
３７，３８  第１立設部
３９  第１操作レバー動作角度規制壁
４０  第２スライド部材
４１，４２  縦スライド穴
４３，４４  段ネジ螺合穴
４５，４６  段ネジ
４７，４８  第２立設部
５０  遊技球導入体
５１  係合穴（第２係合部）
５３  回転軸
５５  第２操作レバー
５５ａ  係合爪（第２係合片）
２００  遊技島
２０３  枠体
２０３ａ  横枠
３００  遊技機
３１０  遊技球タンク
【図１】
2014147514.tif 000003
【図２】
2014147514.tif 000004
【図３】
2014147514.tif 000005
【図４】
2014147514.tif 000006
【図５】
2014147514.tif 000007
【図６】
2014147514.tif 000008
【図７】
2014147514.tif 000009
【図８】
2014147514.tif 000010
【図９】
2014147514.tif 000011